(57)【要約】【課題】光学走査ユニットから導出直後の配線ケーブルを支持する支持部材の構造を工夫することで、配線ケーブルを原稿読み取り方向に沿って平行に導出できるようにする。【解決手段】第１光学ユニットに支持部材６０が設けられており、この支持部材６０は、光学ユニットの導出部から導出された配線ケーブル１９を挿通する挿通路６１を備えている。この挿通路６１は、上から見たときに略Ｓ字状にゆるやかに湾曲しており、配線ケーブル１９の装着性等を考慮して、上部が開口した構造となっている。そして、挿通路６１を形成する一方の側から挿通路６１の上部に延設する形で浮き上がり防止用の押え板６４が設けられ、この押え板６４の下部に、挿通路６１内での配線ケーブル１９の傾斜を規制して副走査方向に平行となるように支持する規制板（リブ片）６５を設けた構造となっている。【選択図】図１２
2008205837.tif 000002
【特許請求の範囲】
【請求項１】
フレーム上面の原稿載置台に載置された原稿に光源ランプから光を照射して情報を読み取るために原稿読み取り方向に往復移動する光学走査ユニットと、前記光源ランプに接続された配線ケーブルとを備えた原稿読取装置において、
前記光学走査ユニットは、前記光源ランプに接続された前記配線ケーブルを原稿読み取り方向に導出して支持する支持部材を備えており、前記支持部材は、導出された前記配線ケーブルの原稿読み取り方向に対する傾きを規制して原稿読み取り方向に略平行となるように支持する規制部を備えていることを特徴とする原稿読取装置の配線ケーブル支持構造。
ケーブル支持構造。
【請求項２】
前記支持部材は、前記光学走査ユニットから導出された配線ケーブルを挿通する挿通路を備え、この挿通路の導入口と導出口とが原稿読み取り方向に直交する方向にずれた位置に配置されており、前記規制部が、前記挿通路の一方の側面に前記配線ケーブルを押し当てるように配置されていることを特徴とする請求項１に記載の原稿読取装置の配線ケーブル支持構造。
【請求項３】
前記挿通路の一方の側面と前記規制部とで形成される前記配線ケーブルの挿通口と前記導出口とが、原稿読み取り方向に平行に配置されていることを特徴とする請求項２に記載の原稿読取装置の配線ケーブル支持構造。
【請求項４】
前記挿通口と前記導出口との間の挿通路の前記一方の側面は、原稿読み取り方向に平行に配置されていることを特徴とする請求項３に記載の原稿読取装置の配線ケーブル支持構造。
【請求項５】
前記導出口の近傍に前記配線ケーブルを締結する締結部が設けられていることを特徴とする請求項４に記載の原稿読取装置の配線ケーブル支持構造。
【請求項６】
前記配線ケーブルが断面略メガネ形状の平行２芯ケーブルであり、前記光学走査ユニットから２芯が上下に位置する垂直状態で導出された配線ケーブルは、この状態で前記導入口から挿通され、この状態で前記規制部によって挿通路の一方の側面側に押し当てられた後、９０度回転するようにひねられて前記導出口から２芯が左右に位置する水平状態で導出されることを特徴とする請求項５に記載の原稿読取装置の配線ケーブル支持構造。
【請求項７】
前記支持部材から導出された配線ケーブルは、前記光学走査ユニットを駆動するために原稿読取方向に沿って配置された駆動ワイヤと平行に配置されていることを特徴とする請求項１ないし請求項６のいずれかに記載の原稿読取装置の配線ケーブル支持構造。
【請求項８】
前記光学走査ユニットは、前記配線ケーブルが導出されている第１走査ユニットと、この第１走査ユニットからの原稿反射光を画像読取部に導く第２走査ユニットとからり、この第２走査ユニットには、導出された前記配線ケーブルを支持して案内するプーリが設けられていることを特徴とする請求項１ないし請求項７のいずれかに記載の原稿読取装置の配線ケーブル支持構造。
【請求項９】
前記プーリの両側にケーブルガイドが配置されていることを特徴とする請求項８に記載の原稿読取装置の配線ケーブル支持構造。
【発明の詳細な説明】
【技術分野】
【０００１】
本発明は、フレーム上面の原稿載置台に載置された原稿に光源ランプから光を照射して情報を読み取るために原稿読み取り方向に往復移動する光学走査ユニットと、光源ランプに接続された配線ケーブルとを備えた原稿読取装置に係り、より詳細には、配線ケーブルの支持構造に関する。
【背景技術】
【０００２】
従来の原稿読取装置は、図１４に概略的に示すように、フレーム５００上面の原稿載置台に載置された原稿に光源ランプ６０２から光を照射して情報を読み取るために原稿読み取り方向（以下、「副走査方向」ともいう。）Ｘに往復移動する光学走査ユニット６００と、フレーム５００の下部に配置された駆動回路基板５１０と光源ランプ６０２とを接続する配線ケーブル６５０とを備えており、配線ケーブル６５０は、光学走査ユニット６００の副走査方向Ｘと直交する主走査方向Ｙの一端部（図１４では手前側の端部）から、主走査方向Ｙに沿って導出されている（例えば、特許文献１参照）。
【０００３】
このような原稿読取装置では、図１５に一部拡大して示すように、光学走査ユニット６００の一端部の導出部６０１に、配線ケーブル６５０を支持する支持部材６１０が設けられている。
【０００４】
この支持部材６１０は、光学走査ユニット６００から導出された配線ケーブル６５０を挿通する挿通路６１１を備えており、この挿通路６１１の導入口６１２と導出口６１３とが主走査方向Ｙにずれた位置に配置されている。つまり、この挿通路６１１は、上から見たときに略Ｓ字状にゆるやかに湾曲しており、光学走査ユニット６００の導出部６０１から導出する配線ケーブル６５０を少し内側に押し込むように配置されている。これは、原稿読取装置の小型化等による設計上の寸法収まり等の理由で、配線ケーブル６５０を導出部６０１からまっすぐに引き出すことができない構造となっていることに起因している。
【０００５】
この場合、支持部材６１０の挿通路６１１は、配線ケーブル６５０の装着性等を考慮して、上部が開口した構造となっている。そのため、上方から嵌め込んだ配線ケーブル６５０が挿通路６１１から浮き上がらないように、挿通路６１０を形成する一方の側から挿通路６１１の上部に延設する形で浮き上がり防止用の押え板６１４が設けられている。
【０００６】
このような構造の支持部材６１０によれば、配線ケーブル６５０は、導入口６１２と導出口６１３の２箇所で横方向、すなわち主走査方向Ｙの動き規制がされてるのみであり、挿通路６１１内部では、主走査方向Ｙへの規制は特にされていない。しかも、この配線ケーブル６５０は、断面が略メガネ形状の平行２芯ケーブルであり、光学走査ユニット６００の導出部６０１から２芯が上下に位置する垂直状態で導出され、この状態で支持部材６１０の導入口６１２から挿通され、内部で９０度回転するようにひねられた後、導出口６１３から２芯が左右に位置する水平状態で導出されている。
【０００７】
そのため、主走査方向Ｙにずれた位置に配置されている導入口６１２と導出口６１３との２箇所での支持によって配線ケーブル６５０が略Ｓ字状に支持されることによる戻り応力の作用と、挿通路６１１内部での９０度のひねりを戻そうとする回転応力の作用とによって、図１５に示すように、導出口６１３から導出された配線ケーブル６５０は、副走査方向Ｘに対して若干中央部寄りに傾斜した方向Ｘ′に向かって導出されることになる。
【特許文献１】特開平２−１０１８６３号公報
【発明の開示】
【発明が解決しようとする課題】
【０００８】
一方、図１４に示すように、この配線ケーブル６５０の内側近傍には、この配線ケーブル６５０と平行して、光学走査ユニット６００を副走査方向Ｘに往復移動させるための駆動ワイヤ５２０が配置されている。そのため、配線ケーブル６５０が斜めに導出された場合には、光学走査ユニット６００の副搬送方向Ｘへの往復移動によって配線ケーブル６５０が駆動ワイヤ５２０と接触し、配線ケーブル６５０と駆動ワイヤとの間に存在する浮遊容量を介して漏れ電流が生じ、ランプ光量が不安定になったり、プーリ保持部材７１との摩擦発生により場合によっては被覆が破れて配線ケーブル６５０が破損するといった可能性があった。また、配線ケーブル６５０と駆動ワイヤ５２０との摩擦力により、光学走査ユニット６００がスムーズに動作せず、原稿読み取り画像がぶれてしまうといった可能性もあった。
【０００９】
本発明はかかる問題点を解決すべく創案されたもので、その目的は、光学走査ユニットから導出直後の配線ケーブルを支持する支持部材の構造を工夫することで、配線ケーブルを原稿読み取り方向に沿って平行に導出できるようにした原稿読取装置の配線ケーブル支持構造を提供することにある。
【課題を解決するための手段】
【００１０】
上記課題を解決するため、本発明の原稿読取装置の配線ケーブル支持構造は、フレーム上面の原稿載置台に載置された原稿に光源ランプから光を照射して情報を読み取るために原稿読み取り方向に往復移動する光学走査ユニットと、前記光源ランプに接続された配線ケーブルとを備えた原稿読取装置において、前記光学走査ユニットは、前記光源ランプに接続された前記配線ケーブルを原稿読み取り方向に導出して支持する支持部材を備えており、前記支持部材は、導出された前記配線ケーブルの原稿読み取り方向に対する傾きを規制して原稿読み取り方向に略平行となるように支持する規制部を備えた構成としている。
【００１１】
具体的に説明すると、前記支持部材は、前記光学走査ユニットから導出された配線ケーブルを挿通する挿通路を備えており、この挿通路の導入口と導出口とが原稿読み取り方向に直交する方向にずれた位置に配置されている。このような挿通路の形状において、前記規制部は、前記挿通路の一方の側面に前記配線ケーブルを押し当てるように配置されており、この状態で、前記挿通路の一方の側面と前記規制部とで形成される前記配線ケーブルの挿通口と前記導出口とが、原稿読み取り方向に平行となるように配置されている。さらに、前記挿通口と前記導出口との間の挿通路の前記一方の側面は、原稿読み取り方向に平行に配置されている。
【００１２】
このような配置構造によれば、導入口から挿通された配線ケーブルは、規制部によって挿通路の一方の側面に押し当てるように湾曲される。従って、この状態では、この湾曲状態を元の状態に復元しようとする反発応力が配線ケーブルの湾曲部分に作用するが、挿通路の一方の側面と規制部とで形成される配線ケーブルの挿通口と、導出口とが、原稿読み取り方向に平行となるように配置されているため、配線ケーブルはこの２箇所（すなわち、原稿読み取り方向に平行な挿通口と導出口との２箇所）で支持されるため、反発応力が規制されることになる。さらに、挿通口と導出口との間の一方の側面（すなわち、反発応力による復元力によって配線ケーブルが押し当てられる側の側面）は、原稿読み取り方向に平行に配置されているため、この側面によっても配線ケーブルの反発応力が規制されることになる。そして、このような原稿読み取り方向に平行な挿通口と導出口との２箇所での支持と、挿通口と導出口との間の一方の側面への当接支持とによって、配線ケーブルの反発応力はこの部分で完全に規制されるため、導出口から導出されるときには、反発応力の影響を受けることなく、原稿読み取り方向に沿ってまっすぐに導出されることになる。さらに、上部が開口した導出口に配線ケーブルを締結する締結部を設けることにより、配線ケーブルは、導出口において完全に固定されるため、配線ケーブルをさらに安定して原稿読み取り方向に沿ってまっすぐ導出することができる。
【００１３】
一方、支持部材から導出された配線ケーブルの近傍には、光学走査ユニットを駆動するために原稿読み取り方向に沿って駆動ワイヤが配置されている。しかし、上記したように、本発明の配線ケーブルも原稿読み取り方向に沿って駆動ワイヤと平行に導出されるので、光学走査ユニットが原稿読み取り方向に往復移動することによって、配線ケーブルの導出部分が横Ｕ字型の状態で湾曲変位しても、それは原稿読み取り方向に沿った湾曲変位となり、駆動ワイヤに不足に接触することはない。
【００１４】
この場合、前記配線ケーブルとして断面略メガネ形状の平行２芯ケーブルを使用している。そして、光学走査ユニットから２芯が上下に位置する垂直状態で導出された配線ケーブルは、この状態で導入口から挿通され、この状態で規制部によって挿通路の一方の側面側に押し当てられた後、９０度回転するようにひねられて導出口から２芯が左右に位置する水平状態で導出されるようになっている。すなわち、配線ケーブルは、原稿読み取り方向に平行な挿通口と導出口との間で９０度ひねり回転されている。つまり、配線ケーブルの断面で見ると、２芯の間のほぼ中点を通る原稿読み取り方向を回転中心として９０度ひねり回転されているため、この回転反発力（すなわち、ひねりを元に戻そうとする力）は、原稿読み取り方向には作用しない。別言すると、配線ケーブルは、このねじれを解消するように作用するが、導出口から導出された配線ケーブルは、原稿読み取り方向にまっすぐに導出されることになる。しかも、導出口の近傍に配線ケーブルを締結する締結部を設けているので、配線ケーブルは、導出口において完全に固定されるため、配線ケーブルのひねり現象による回転反発力もこの部分で封じられる。そのため、２芯が左右に位置する水平状態で導出された配線ケーブルは、支持部材の内部で発生する配線ケーブルの応力に影響されることなく安定して、原稿読み取り方向に沿ってまっすぐ導出することができる。
【００１５】
また、本発明では、前記光学走査ユニットは、前記配線ケーブルが導出されている第１走査ユニットと、この第１走査ユニットからの原稿反射光を画像読取部に導く第２走査ユニットとからり、この第２走査ユニットに、導出された前記配線ケーブルを支持して案内するプーリを設けた構造としている。さらに、このプーリの両側にケーブルガイドを配置した構造としている。このように、第２走査ユニットにプーリとケーブルガイドとを設けることにより、光学走査ユニットが原稿読み取り方向に往復移動することによって、配線ケーブルの導出部分が横Ｕ字型の状態で湾曲変位しても、それはプーリに受け止められ、ケーブルガイドによって規制された状態での原稿読み取り方向に沿った湾曲変位となるため、駆動ワイヤに不足に接触することはない。これにより、配線ケーブルをより確実に原稿読み取り方向に沿って湾曲変位させることが可能となる。
【発明の効果】
【００１６】
本発明の配線ケーブル支持構造によれば、支持部材の導入口から挿通された配線ケーブルは、規制部によって挿通路の一方の側面に押し当てるように湾曲され、この部分で湾曲状態を元の状態に復元しようとする反発応力が配線ケーブルに作用するが、挿通路の一方の側面と規制部とで形成される配線ケーブルの挿通口と導出口とが、原稿読み取り方向に平行となるように配置されているため、配線ケーブルはこの２箇所（すなわち、原稿読み取り方向に平行な挿通口と導出口との２箇所）で支持されて、反発応力が規制されることになる。さらに、挿通口と導出口との間の一方の側面は、原稿読み取り方向に平行に配置されているため、この側面によっても配線ケーブルの反発応力が規制されることになり、このような原稿読み取り方向に平行な挿通口と導出口との２箇所での支持と、挿通口と導出口との間の一方の側面への当接支持とによって、配線ケーブルの反発応力はこの部分で完全に規制されるため、導出口から導出されるときには、反発応力の影響を受けることなく、原稿読み取り方向に沿ってまっすぐに導出されることになる。これにより、光学走査ユニットの原稿読み取り方向への往復移動によって配線ケーブルが光学走査ユニットの駆動ワイヤと接触して、配線ケーブルと駆動ワイヤとの間に存在する浮遊容量を介して漏れ電流が生じ、ランプ光量が不安定になったり、プーリ保持部材との摩擦発生により被覆が破れて配線ケーブルが破損するといった事態の発生を防止することができる。
【発明を実施するための最良の形態】
【００１７】
以下、本発明の実施の形態について、図面を参照して説明する。
【００１８】
＜原稿読取装置の全体的な説明＞
図１は、本発明の実施形態に係る原稿読取装置２の全体の外観を示している。また、図２は、図１に示した原稿読取装置２の概略的な断面図を示している。
【００１９】
本実施形態の原稿読取装置２は、上部に、原稿を原稿搬送路に沿って自動的に搬送する自動原稿送り装置（ＡＤＦ）４が配置されている。
【００２０】
原稿読取装置２は、外枠となるフレーム３５の上面に設けられた原稿載置台３１、第１走査ユニット２１、第２走査ユニット２２、結像レンズ１６、撮像素子（ＣＣＤ）１４、駆動回路基板３３を備えている。
【００２１】
第１走査ユニット２１は、光源ランプ１３、第１ミラー１７ａなどを備えている。光源ランプ１３は、原稿を照射するための光源部としての低発熱ランプである。第１ミラー１７ａは、原稿からの反射光を第２走査ユニット２２に導く。
【００２２】
第２走査ユニット２２は、第２ミラー１７ｂ及び第３ミラー１７ｃを備えており、第１走査ユニット２１からの光を撮像素子１４に案内する。結像レンズ１６は、原稿からの反射光を撮像素子１４に結像させる。
【００２３】
駆動回路基板３３は、光源ランプ１３の点灯を制御するものであって、画像読取装置２のフレーム３５の仕切板３５ｂの下面に取り付けられており、仕切板３５ｂの上面には、配線ケーブル１９の他方の端子部１９ａを差し込むためのコネクタ（図示省略）が設けられている。
【００２４】
ＡＤＦ４は、原稿載置台３１を開放または閉塞する原稿カバーとして機能する。ＡＤＦ４は、原稿セットトレイ４０、原稿搬送手段４１、及び原稿排出トレイ４２を備えている。原稿セットトレイ４０には、画像情報を読み取るべき原稿が載置される。原稿搬送手段４１は、原稿セットトレイ４０上に載置された原稿を原稿載置台３１上に向かって搬送するとともに、画像情報が読み取られた原稿を原稿排出トレイ４２に排出する。
【００２５】
＜原稿読取装置の機構構造の説明＞
図３は、上記構成の原稿読取装置２において、原稿を走査して読み取る原稿読取部の機構部分の具体的構造を示す斜視図である。また、図４及び図５は、第１走査ユニット２１の一端部を拡大して示す平面図であり、図６は、配線ケーブル１９を一部破断した斜視図である。
【００２６】
図２及び図３に示すように、原稿読取装置２の外枠となるフレーム３５の底部には、平板状の仕切板３５ｂが設けられている。この仕切板３５ｂの上に配置された暗箱１８で覆われた部分には、結像レンズ１６と撮像素子１４とが取り付けられている。暗箱１８上に一点鎖線で示した矢印Ａ１は、フレーム３５に取り付けられた結像レンズ１６の光軸の方向を示している。フレーム３５及び仕切板３５ｂには、例えば、表面に亜鉛メッキを施した鋼板が用いられる。また、第１走査ユニット２１と第２走査ユニット２２とが、暗箱１８の上方を通過して仕切板３５ｂに沿う方向（原稿読み取り方向）に往復移動するように取り付けられている。
【００２７】
第１走査ユニット２１は、両端部にワイヤ固定部２１ａ，２１ｂを有し、中央部に光源ランプ１３と第１ミラー１７ａとを支持するミラー支持部２１ｃを有する。一方のワイヤ固定部２１ａには、一方の駆動ワイヤ４５ａが固定され、他方のワイヤ固定部２１ｂには、他方の駆動ワイヤ４５ｂが固定されている。また、第１走査ユニット２１の両端部は、ガイドレール３６ａ，３６ｂにそれぞれ支持されており、第１走査ユニット２１はこのガイドレール３６ａ，３６ｂ上を原稿読み取り方向（副走査方向）Ｘに往復移動するようになっている。この移動方向Ｘは、第１走査ユニット２１の両端に固定された駆動ワイヤ４５ａ，４５ｂが両端部の支持プーリ５４ａ，５５ａに掛けられた方向で決まるが、これについては後述する。
【００２８】
第２走査ユニット２２は、両端部にワイヤ固定部２２ａ，２２ｂを有し、中央部に第２ミラー１７ｂと第３ミラー１７ｃとを支持するミラー支持部２２ｃを有する。第２ミラー１７ｂ及び第３ミラー１７ｃはいわゆる中間ミラーである。一方のワイヤ固定部２２ａには、プーリ４９ａが取り付けられ、このプーリ４９ａに駆動ワイヤ４５ａが掛けられている。また他方のワイヤ固定部２２ｂにも、プーリ４９ｂが取り付けられ、このプーリ４９ｂに駆動ワイヤ４５ｂが掛けられている。また、第２走査ユニット２２の両端部は、ガイドレール３７ａ，３７ｂにそれぞれ支持されており、第２走査ユニット２２はこのガイドレール３７ａ，３７ｂ上を副走査方向Ｘに往復移動するようになっている。すなわち、第２走査ユニット２２は、第１走査ユニット２１と同じ方向に、第１走査ユニット２１と連係して移動するようになっている。
【００２９】
駆動モータ３８は、第１走査ユニット２１と第２走査ユニット２２とを駆動するステッピングモータであり、図示しないモータ制御回路によって回転が制御される。駆動モータ３８の出力軸の回転は、タイミングベルト４４を介して駆動シャフト４３に伝達され、駆動シャフト４３の両端部に取り付けられた駆動プーリ３９ａ，３９ｂを回転させる。駆動プーリ３９ａ，３９ｂには、駆動ワイヤ４５ａ，４５ｂがそれぞれ巻かれており、さらに駆動ワイヤ４５ａ，４５ｂは、それぞれ第１走査ユニット２１と第２走査ユニット２２に固定されている。駆動プーリ３９ａ，３９ｂの回転は、駆動ワイヤ４５ａ，４５ｂによって直線運動に変換され、第１走査ユニット２１と第２走査ユニット２２を副走査方向Ｘに移動させる。駆動シャフト４３及び駆動プーリ３９ａ，３９ｂは鋼製であり、駆動ワイヤ４５ａ，４５ｂにはスチールワイヤが用いられる。
【００３０】
また、第１走査ユニット２１の一方の端部（図３では手前側の端部）には、駆動ワイヤ４５ａのさらに外側に配線ケーブル１９が配置されている。図４及び図５に示すように、第１走査ユニット２１の一方の端部に、内部の光源ランプ１３と接続された配線ケーブル１９の導出部２１ｄが設けられており、この導出部２１ｄから副走査方向Ｘに沿って駆動ワイヤ５４ａと平行に、配線ケーブル１９が導出されている。また、第１走査ユニット２１の導出部２１ｄには、導出された配線ケーブル１９を支持する支持部材６０が設けられている。この支持部材６０は、導出部２１ｄから導出された配線ケーブル１９を挿通する導入口６２と導出口６３とを有する挿通路６１を備えている。
【００３１】
また、配線ケーブル１９は、図６に示すように、断面略メガネ形状の平行２芯ケーブルを使用している。そして、第１光学ユニット２１の導出部２１ｄから２芯が上下に位置する垂直状態で導出された配線ケーブル１９は、この状態で支持部材６０の導入口６２から導入され、支持部材６０の内部で９０度回転するようにひねられ、導出口６３から導出されるときには、２芯が左右に位置する水平状態で導出されるようになっている。そして、このように導出された配線ケーブル１９の先端側は、横Ｕ字型の状態に湾曲された後、その先端の端子部１９ａが駆動回路基板３３のコネクタ（図示省略）に接続されている。このように配線ケーブル１９を横Ｕ字型の状態に湾曲させて余裕を持たせて配置しているのは、第１走査ユニット２１の移動距離に対して配線ケーブル１９が十分余裕を持って追従（湾曲変位）できるようにするためである。
【００３２】
また、第２走査ユニット２２の一方の端部（図３では手前側の端部）には、この導出された配線ケーブル１９のＵ字状の湾曲部近傍を受け止めて案内（保持）するためのプーリ７０が設けられている。このプーリ７０は、第２走査ユニット２２の端部に、副走査方向Ｘに沿って起立形成された支持板２２ｄに、上向きコ字状に形成されたプーリ保持部材７１が、開口部を副走査方向Ｘに沿うようにして固定されており、このプーリ保持部材７１の間にプーリ７０が自由回転可能に軸支されている。また、このプーリ保持部材７１の両端部はプーリ７０よりも上方に延設されており、プーリ７０に受け止められた配線ケーブル１９が主走査方向Ｙにずれないように規制するケーブルガイドとして機能するようになっている。
【００３３】
＜駆動ワイヤの掛け回し構造の説明＞
次に、駆動ワイヤの掛け回し構造について、図７に示す光学系の構成部材の配置関係を示す説明図、及び図８に示す各構成部材の斜視図を参照して説明する。なお、図８は、図３から駆動ワイヤ４５ａ、４５ｂと支持プーリ５４ａ、５４ｂ、５５ａ、５５ｂと駆動プーリ３９ａ、３９ｂとを抜き出して示した構成部材のみを概略的に示した斜視図である。この図８を参照すれば、駆動ワイヤ４５ａ、４５ｂの引き回し方がより容易に理解される。以下、図３、図７及び図８を参照して、駆動ワイヤ４５ａ、４５ｂの掛け回し構造を説明する。
【００３４】
駆動ワイヤ４５ａの一端は、フック４６ａに固定されている。その先は、第２走査ユニット２２のプーリ４９ａに掛けられ、さらにその先は、走査終端側（図７のＰ２側）の第１走査ユニット２１のワイヤ固定部２１ａに固定されている。プーリ４９ａは動滑車のような動きをするので、第２走査ユニットは、第１走査ユニットの１／２の速度で移動する。第１走査ユニット２１に固定された駆動ワイヤ４５ａのさらに先は、支持プーリ５４ａに掛けられている。さらに、その先は駆動プーリ３９ａの周囲に巻き掛けられた後、走査始端側（図７のＰ１側）にある支持プーリ５５ａに掛けられている。そして、さらにその先は、第２走査ユニット２２のプーリ４９ａに掛けられている。その先の終端部は、テンションスプリング４７ａを介してフレーム３５に固定されている。なお、テンションスプリング４７ａに至る直前で駆動ワイヤ４５ａがほぼ直角に曲がっている部分には、図示しないプーリが設けられている。このプーリによって、駆動ワイヤ４５ａのテンションの方向が、フレーム３５に掛けられたテンションスプリング４７ａの方向に変えられる。
【００３５】
駆動プーリ３９ａが図３において時計回りに回転すると、駆動ワイヤ４５ａのフック４６ａ側が巻き取られる。これによって、第１走査ユニット２１及び第２走査ユニット２２が、走査始端側（Ｐ１側）から走査終端側（Ｐ２側）へ移動する（図７（ｂ）参照）。駆動プーリ３９ａの回転に伴って、駆動ワイヤ４５ａのテンションスプリング４７ａ側は弛むが、プーリ４９ａが走査終端側（Ｐ２側）へ移動して、弛んだ分を横Ｕ字型に伸ばしていく。駆動プーリ３９ａが逆方向（反時計回り）に回転すると、テンションスプリング４７ａ側が巻き取られ、プーリ４９ａに掛けられた横Ｕ字型の部分が巻き取られて第２走査ユニット２２が、走査終端側（Ｐ２側）から走査始端側（Ｐ１側）へ移動し（図７（ａ）参照）、これに伴って第１走査ユニット２１も移動する。
【００３６】
以上の説明は、一方の駆動ワイヤ４５ａについてであるが、他方の駆動ワイヤ４５ｂも同様に一端がフック４６ｂに固定され、その先が、プーリ４９ｂ、ワイヤ固定部２２ｂ、支持プーリ５４ｂ、駆動プーリ３９ｂ、支持プーリ５５ｂ及びプーリ４９ｂを経て、終端がテンションスプリング４７ｂを介してフレーム３５に固定されている。
【００３７】
＜支持部材の構造の説明＞
上記構成において、本実施形態の原稿読取装置２は、第１走査ユニット２１の導出部２１ｄから導出された配線ケーブル１９を支持する支持部材６０の構造に特徴を有している。
【００３８】
図９ないし図１３は、本実施形態に係る支持部材６０の構造を示す説明図であり、図９は平面図、図１０は配線ケーブル１９の導出側から見た斜視図、図１１は配線ケーブル１９の導入側（すなわち、第１走査ユニット２１側）から見た斜視図、図１２は支持部材６０に配線ケーブル１９を挿通した状態を示す平面図、図１３は配線ケーブル１９の断面図である。
【００３９】
上記したように、本実施形態の支持部材６０は、第１光学ユニット２１から導出された配線ケーブル１９を挿通する挿通路６１を備えており、この挿通路６１の導入口６２と導出口６３とが副走査方向Ｘに直交する主走査方向Ｙにずれた位置に配置されている。すなわち、挿通路６１は、上から見たときに略Ｓ字状にゆるやかに湾曲しており、第１走査ユニット２１の導出部２１ｄから導出した配線ケーブル１９を少し内側に押し込むように配置されている。これは、上記解決課題でも説明したように、原稿読取装置の小型化等による設計上の寸法収まり等の理由で、配線ケーブル１９を導出部２１ｄからまっすぐに引き出すことができない構造となっていることに起因している。
【００４０】
この場合、支持部材６０の挿通路６１は、配線ケーブル１９の装着性等を考慮して、上部が開口した構造となっている。そのため、上方から嵌め込んだ配線ケーブル１９が挿通路６１から浮き上がらないように、挿通路６１を形成する一方の側から挿通路６１の上部に延設する形で浮き上がり防止用の押え板６４が設けられている。従って、本実施形態では、この押え板６４の下部に、挿通路６１内での配線ケーブル１９の傾斜を規制して副走査方向Ｘに略平行となるように支持する規制板（リブ片）６５を設けた構造としている。すなわち、規制板６５は、挿通路６１の内部に側方から侵入するように設けられており、挿通路６１の一方の側面（図９では左側の側面）６６に配線ケーブル１９を押し当てるように配置されている。そして、この状態で、挿通路６１の一方の側面６６と規制板６５とで形成される配線ケーブル１９の挿通口６７と、導出口６３とが、副走査方向Ｘに沿うように配置されている。さらに、挿通口６７と導出口６３との間の挿通路を形成する一方の側面６８は、副走査方向Ｘに平行に配置されている。
【００４１】
このような配置構造によれば、導入口６２から挿通された配線ケーブル１９は、規制板６５によって挿通路１９の一方の側面６６に押し当てるように湾曲される（ただし、実際には配線ケーブル１９を嵌め込む際の余裕が必要であるため、多少の隙間が開いていてもよい）。従って、この状態では、この湾曲状態を元の状態に復元しようとする反発応力が配線ケーブル１９の湾曲部分１９ｅ（図１２参照）に作用するが、挿通路６１の一方の側面６６と規制板６５とで形成される配線ケーブルの挿通口６７と、導出口６３とが、副走査方向Ｘに平行となるように配置されているため、配線ケーブル１９はこの２箇所（すなわち、挿通口６７と導出口６３との２箇所）で支持されるため、反発応力が規制されることになる。さらに、挿通口６７と導出口６３との間の一方の側面（すなわち、反発応力による復元力によって配線ケーブル１９が押し当てられる側の側面）６８は、副走査方向Ｘに平行に配置されているため、この側面６８によっても配線ケーブル１９の反発応力が規制されることになる。そして、このような副走査方向Ｘに平行な挿通口６７と導出口６３との２箇所での支持と、挿通口６７と導出口６３との間の一方の側面６８への当接支持とによって、配線ケーブル１９の反発応力はこれらの部分で完全に規制されるため、導出口６３から導出されるときには、反発応力の影響を受けることなく、副走査方向Ｘに沿ってまっすぐに導出されることになる。さらに、上部が開口した導出口６３に配線ケーブル１９を上から押さえて締結（固定）する締結バンド６９を設けているので、配線ケーブル１９は、導出口６３において完全に固定されるため、配線ケーブル１９を安定して副走査方向Ｘに沿ってまっすぐ導出することができる。
【００４２】
因みに、導出口６３の手前の左右の側壁に切欠き部６１ａ，６１ａを設け、締結バンド６９をこの切欠き部６１ａ，６１ａに嵌め合わせるようにして巻き付けることにより、配線ケーブル１９を上から直接押さえ付けて、挿通路６１の底面にしっかり固定できるようになっている。
【００４３】
ところで、本実施形態では、配線ケーブル１９は、図６に示すように、断面略メガネ形状の平行２芯ケーブルを使用している。そして、第１光学ユニット２１から２芯が上下に位置する垂直状態で導出された配線ケーブル１９は、この状態で導入口６２から挿通され、この状態で規制板６５によって挿通路１９の一方の側面６８に押し当てられ、９０度回転するようにひねられて導出口６３から２芯が左右に位置する水平状態で導出されるようになっている。すなわち、配線ケーブル１９は、副走査方向Ｘに平行な挿通口６７と導出口６３との間で９０度ひねり回転されている。つまり、配線ケーブル１９の断面で見ると、図１２に示すように、２芯の間のほぼ中点ａを通る副走査方向Ｘを回転中心として９０度ひねり回転（図１２中、矢符Ｒ１方向に回転）されているため、この回転反発力（すなわち、ひねりを元に戻そうとする力）Ｒ２は、副走査方向Ｘに直交する主走査方向Ｙには作用しない。別言すると、配線ケーブル１９は、このひねりを解消するように作用するが、副走査方向Ｙには作用しないので、導出口６３から導出された配線ケーブル１９は、副走査方向Ｘにまっすぐに導出されることになる。しかも、導出口６３に締結バンド６９を設けているので、配線ケーブル１９は、導出口６３において完全に固定されるため、配線ケーブル１９のひねり現象による回転反発力もこの部分で封じられることになる。そのため、導出口６３から２芯が左右に位置する水平状態で導出された配線ケーブル１９は、支持部材６０の内部で発生する配線ケーブル１９の全ての応力に影響されることなく安定して、副走査方向Ｘに沿ってまっすぐ導出することになる。
【００４４】
このようにして支持部材６０から導出された配線ケーブル１９の近傍には、第１光学ユニット２１及び第２光学ユニット２２を駆動するために駆動ワイヤ５４ａが平行に配置されているが、上記したように、配線ケーブル１９も副走査方向Ｘに沿って駆動ワイヤ５４ａと平行に導出されるので、第１光学ユニット２１及び第２光学ユニット２２が副走査方向Ｘに往復移動することによって、配線ケーブル１９の導出部分が横Ｕ字型の状態で湾曲変位しても、それは副走査方向Ｘに沿った湾曲変位となり、駆動ワイヤ５４ａに不足に接触することはない。
【００４５】
また、本実施形態では、上記したように、第２走査ユニット２２に、導出された配線ケーブル１９を受け止め支持して案内するプーリ７０を設け、かつ、このプーリ７０を軸支持しているプーリ保持部材７１がケーブルガイドとして機能する構造としているので、第１走査ユニット２１及び第２走査ユニット２２が副走査方向Ｘに往復移動することによって、配線ケーブル１９の導出部分が横Ｕ字型の状態で湾曲変位しても、それはプーリ７０に受け止められ、かつ、ケーブルガイドによって主走査方向Ｙへの移動が規制された状態での湾曲変位となるため、駆動ワイヤ５４ａに不足に接触することはない。これにより、配線ケーブル１９をより確実に副走査方向Ｘに沿って湾曲変位させることが可能となる。
【図面の簡単な説明】
【００４６】
【図１】本発明の実施形態に係る原稿読取装置の全体の外観を示す斜視図である。
【図２】図１に示した原稿読取装置の概略断面図である。
【図３】原稿を走査して読み取る原稿読取部の機構部分の具体的構造を示す斜視図である。
【図４】第１走査ユニットの一端部を拡大して示す平面図である。
【図５】第１走査ユニットの一端部をさらに拡大して示す平面図である。
【図６】配線ケーブルを一部破断して示す斜視図である。
【図７】図３に示す光学系の構成部材の配置関係を示す説明図である。
【図８】図３から駆動ワイヤと支持プーリと駆動プーリとを抜き出して示した構成部材のみを概略的に示した斜視図である。
【図９】本実施形態に係る支持部材の構造を示す平面図である。
【図１０】本実施形態に係る支持部材を配線ケーブルの導出側から見た斜視図である。
【図１１】本実施形態に係る支持部材を配線ケーブルの導入側から見た斜視図である。
【図１２】本実施形態に係る支持部材に配線ケーブルを挿通した状態を示す平面図である。
【図１３】（ａ）は図１２のＤ−Ｄ線に沿う配線ケーブルの断面図、（ｂ）は図１２のＥ−Ｅ線に沿う配線ケーブルの断面図である。
【図１４】従来の原稿読取装置の原稿読取部の機構部分の概略構造を示す斜視図である。
【図１５】従来の原稿読取装置の第１走査ユニットの一端部を拡大して示す平面図である。
【符号の説明】
【００４７】
２  原稿読取装置
４  自動原稿送り装置（ＡＤＦ）
１９  配線ケーブル
１９ａ  端子部
２１  第１走査ユニット（光学走査ユニット）
２１ａ，２１ｂ  ワイヤ固定部
２１ｃ  ミラー支持部
２１ｄ  導出部
２２  第２走査ユニット（光学走査ユニット）
２２ａ，２２ｂ  ワイヤ固定部
２２ｃ  ミラー支持部
２２ｄ  支持板
３１  原稿載置台
３３  駆動回路基板
３５  フレーム
３５ｂ  仕切板
３８  駆動モータ
３９ａ，３９ｂ  駆動プーリ
４３  駆動シャフト
４４  タイミングベルト
４５ａ，４５ｂ  駆動ワイヤ
４６ａ，４６ｂ  フック
４７ａ，４７ｂ  テンションスプリング
４９ａ，４９ｂ  プーリ
５４ａ，５４ｂ  駆動プーリ
５５ａ，５５ｂ  支持プーリ
６０  支持部材
６１  挿通路
６２  導入口
６３  導出口
６４  押え板
６５  規制板（リブ片）
６６  一方の側面
６７  挿通口
６８  側面
６９  締結バンド
７０  プーリ
７１  プーリ保持部材（ワイヤーガイド）
【図１】
2008205837.tif 000003
【図２】
2008205837.tif 000004
【図３】
2008205837.tif 000005
【図４】
2008205837.tif 000006
【図５】
2008205837.tif 000007
【図６】
2008205837.tif 000008
【図７】
2008205837.tif 000009
【図８】
2008205837.tif 000010
【図９】
2008205837.tif 000011
【図１０】
2008205837.tif 000012
【図１１】
2008205837.tif 000013
【図１２】
2008205837.tif 000014
【図１３】
2008205837.tif 000015
【図１４】
2008205837.tif 000016
【図１５】
2008205837.tif 000017